(57)【要約】【課題】投擲落下域に用いる際に、投擲槍が倒れずに刺さりやすく、投擲物が飛び跳ねにくく、投擲物の落下痕跡が明瞭に識別でき、投擲競技以外の競技に用いる際の競技性に優れ、さらに夏場に高温化しにくい人工芝・天然芝複合グラウンドを提供する。【解決手段】本発明の人工芝・天然芝複合グラウンド１００は、基盤１０と、基盤１０上に設置された、基布３２に複数のパイル３４が植設されてなる人工芝３０と、基布３２上で複数のパイル３４間に粒状物が充填されてなる充填層３６と、充填層３６内に根４２が張り、充填層３６の表面から芝葉４４が延びた天然芝４０と、を有し、前記粒状物は、ヤシ科植物の果実の中果皮の粉末と砂とを含むことを特徴とする。【選択図】図１
2017166151.tif 000002
【特許請求の範囲】
【請求項１】
基盤と、
該基盤上に設置された、基布に複数のパイルが植設されてなる人工芝と、
前記基布上で前記複数のパイル間に粒状物が充填されてなる充填層と、
該充填層内に根が張り、前記充填層の表面から芝葉が延びた天然芝と、
を有し、
前記粒状物は、ヤシ科植物の果実の中果皮の粉末と、第一の砂とを含むことを特徴とする人工芝・天然芝複合グラウンド。
【請求項２】
前記充填層には、前記天然芝を育成するための肥料が含まれる、請求項１に記載の人工芝・天然芝複合グラウンド。
【請求項３】
前記粒状物中、前記粉末と前記第一の砂との合計を１００質量部として、前記粉末が５〜４０質量部含まれる、請求項１または２に記載の人工芝・天然芝複合グラウンド。
【請求項４】
前記第一の砂が硅砂を含む、請求項１〜３のいずれか一項に記載の人工芝・天然芝複合グラウンド。
【請求項５】
前記基盤と前記人工芝との間に、合成樹脂製の素線がランダムなループ状に延在した立体網状体である板状排水構造体を有し、
前記板状排水構造体の前記素線間の空隙に第二の砂が充填されている、請求項１〜４のいずれか一項に記載の人工芝・天然芝複合グラウンド。
【請求項６】
前記第二の砂が硅砂を含む、請求項５に記載の人工芝・天然芝複合グラウンド。
【請求項７】
基布に複数のパイルが植設されてなる人工芝を基盤上に設置する第一工程と、
前記基布上で前記複数のパイル間に粒状物を充填して、充填層を形成する第二工程と、
前記充填層に種子を散布もしくは充填し、または、前記充填層に苗を植えて、天然芝を育成し、前記充填層内に根が張り、前記充填層の表面から芝葉が延びた状態とする第三工程と、
を有し、
前記粒状物は、ヤシ科植物の果実の中果皮の粉末と、第一の砂とを含むことを特徴とする人工芝・天然芝複合グラウンドの施工方法。
【請求項８】
前記第一工程に先立ち、合成樹脂製の素線がランダムなループ状に延在した立体網状体である板状排水構造体を前記基盤上に設置し、
前記板状排水構造体の前記素線間の空隙に第二の砂を充填する、請求項７に記載の人工芝・天然芝複合グラウンドの施工方法。
【請求項９】
前記第二工程では、前記粉末と前記第一の砂とを予め混合して混合粒状物とし、該混合粒状物を前記複数のパイル間に充填する、請求項８に記載の人工芝・天然芝複合グラウンドの施工方法。
【請求項１０】
前記混合粒状物中には、前記天然芝を育成するための肥料をさらに混合する、請求項９に記載の人工芝・天然芝複合グラウンドの施工方法。
【請求項１１】
前記充填層上に、前記天然芝を育成するための肥料を散布する工程をさらに有する、請求項８〜１０のいずれか一項に記載の人工芝・天然芝複合グラウンドの施工方法。
【発明の詳細な説明】
【技術分野】
【０００１】
本発明は、人工芝・天然芝複合グラウンド（人工芝・天然芝複合敷設構造）およびその施工方法に関するものである。
【背景技術】
【０００２】
各種スポーツを行うために広く用いられている人工芝生として、ロングパイル人工芝がある。これは、長さ４０〜６５ｍｍ程度の比較的長いパイル（人工芝葉）を基布に植設し、パイル間に硅砂等の硬質粒状物が充填されてなる充填層を形成したものである。
【０００３】
また、特許文献１には、ロングパイル人工芝の改良技術として、基布と、該基布に植設された複数の芝葉と、該芝葉の各植設部の間に粒状物が充填されて形成された充填層とを備えた人工芝生が複数重ねて敷設された人工芝生敷設構造が記載されている。この人工芝生敷設構造では、基盤上に第一の人工芝生が敷設され、この第一の人工芝生には、その芝葉の略上端に至る厚みを有する第一の充填層が設けられ、第一の人工芝生上に、第一の充填層よりも大きな厚みの第二の充填層を有する第二の人工芝生が敷設されている。これにより、槍投げ競技を行う際に、槍の挿入が第二の充填層で止まり、また、槍が第二の人工芝生を貫通してしまった場合でも、第一の充填層で槍が止まるため、槍の損傷を抑制できるとしている。各充填層は硅砂等の硬質粒状物で形成され、さらにゴムチップ等の弾性粒状物を含んでもよい。
【先行技術文献】
【特許文献】
【０００４】
【特許文献１】特開２０１１−８４９３０号公報
【発明の概要】
【発明が解決しようとする課題】
【０００５】
しかしながら、本発明者は、一般的なロングパイル人工芝や、特許文献１に記載の人工芝生敷設構造などの従来の人工芝には、以下のような観点で改善の余地があることを認識した。第一に、従来の人工芝を槍投げ競技に用いた場合、充填層が硅砂のような硬質粒状物で構成されているため、充填層に粘りがなく、そのため、投擲槍が刺さってもすぐに倒れてしまい、槍が刺さった状態で維持されにくいことが判明した。
【０００６】
第二に、従来の人工芝をハンマー投げ、円盤投げ、砲丸投げ等の投擲競技に用いた場合、投擲物が飛び跳ねやすく、また、投擲物の落下痕跡が識別しにくいことも判明した。硅砂のような硬質粒状物は時間の経過とともに圧し固まりやすいため、これら第二の現象は時間の経過とともに顕著になった。また、これら第二の現象は、充填層にゴムチップ等の弾性粒状物が含まれる場合には特に顕著である。
【０００７】
また、第三に、従来の人工芝では、サッカー、ラグビー等の各種球技をはじめ、投擲競技以外の競技に用いた場合、硬い、踏ん張りが利かない、滑るなど、競技性の向上に改善の余地があり、さらに、夏場に高温化するといった点でも改善の余地があった。
【０００８】
本発明は上記課題に鑑み、投擲落下域に用いる際に、投擲槍が倒れずに刺さりやすく、投擲物が飛び跳ねにくく、投擲物の落下痕跡が明瞭に識別でき、投擲競技以外の競技に用いる際の競技性に優れ、さらに夏場に高温化しにくい人工芝・天然芝複合グラウンドとその施工方法を提供することを目的とする。
【課題を解決するための手段】
【０００９】
本発明の要旨構成は以下のとおりである。
（１）基盤と、
該基盤上に設置された、基布に複数のパイルが植設されてなる人工芝と、
前記基布上で前記複数のパイル間に粒状物が充填されてなる充填層と、
該充填層内に根が張り、前記充填層の表面から芝葉が延びた天然芝と、
を有し、
前記粒状物は、ヤシ科植物の果実の中果皮の粉末と、第一の砂とを含むことを特徴とする人工芝・天然芝複合グラウンド。
【００１０】
（２）前記充填層には、前記天然芝を育成するための肥料が含まれる、上記（１）に記載の人工芝・天然芝複合グラウンド。
【００１１】
（３）前記粒状物中、前記粉末と前記第一の砂との合計を１００質量部として、前記粉末が５〜４０質量部含まれる、上記（１）または（２）に記載の人工芝・天然芝複合グラウンド。
【００１２】
（４）前記第一の砂が硅砂を含む、上記（１）〜（３）のいずれか一項に記載の人工芝・天然芝複合グラウンド。
【００１３】
（５）前記基盤と前記人工芝との間に、合成樹脂製の素線がランダムなループ状に延在した立体網状体である板状排水構造体を有し、
前記板状排水構造体の前記素線間の空隙に第二の砂が充填されている、上記（１）〜（４）のいずれか一項に記載の人工芝・天然芝複合グラウンド。
【００１４】
（６）前記第二の砂が硅砂を含む、上記（５）に記載の人工芝・天然芝複合グラウンド。
【００１５】
（７）基布に複数のパイルが植設されてなる人工芝を基盤上に設置する第一工程と、
前記基布上で前記複数のパイル間に粒状物を充填して、充填層を形成する第二工程と、
前記充填層に種子を散布もしくは充填し、または、前記充填層に苗を植えて、天然芝を育成し、前記充填層内に根が張り、前記充填層の表面から芝葉が延びた状態とする第三工程と、
を有し、
前記粒状物は、ヤシ科植物の果実の中果皮の粉末と、第一の砂とを含むことを特徴とする人工芝・天然芝複合グラウンドの施工方法。
【００１６】
（８）前記第一工程に先立ち、合成樹脂製の素線がランダムなループ状に延在した立体網状体である板状排水構造体を前記基盤上に設置し、
前記板状排水構造体の前記素線間の空隙に第二の砂を充填する、上記（７）に記載の人工芝・天然芝複合グラウンドの施工方法。
【００１７】
（９）前記第二工程では、前記粉末と前記第一の砂とを予め混合して混合粒状物とし、該混合粒状物を前記複数のパイル間に充填する、上記（８）に記載の人工芝・天然芝複合グラウンドの施工方法。
【００１８】
（１０）前記混合粒状物中には、前記天然芝を育成するための肥料をさらに混合する、上記（９）に記載の人工芝・天然芝複合グラウンドの施工方法。
【００１９】
（１１）前記充填層上に、前記天然芝を育成するための肥料を散布する工程をさらに有する、上記（８）〜（１０）のいずれか一項に記載の人工芝・天然芝複合グラウンドの施工方法。
【発明の効果】
【００２０】
本発明の人工芝・天然芝複合グラウンドは、投擲落下域に用いる際に、投擲槍が倒れずに刺さりやすく、投擲物が飛び跳ねにくく、投擲物の落下痕跡が明瞭に識別でき、投擲競技以外の競技に用いる際の競技性に優れ、さらに夏場に高温化しにくい。また、本発明の人工芝・天然芝複合グラウンドの施工方法によれば、このような人工芝・天然芝複合グラウンドを施工することができる。
【図面の簡単な説明】
【００２１】
【図１】本発明の一実施形態による人工芝・天然芝複合グラウンド１００の模式断面図である。
【図２】（Ａ）〜（Ｅ）は、図１の人工芝・天然芝複合グラウンド１００の施工方法を説明する工程図である。
【図３】（Ａ）は、図１中の板状排水構造体２０の斜視図であり、（Ｂ）は、（Ａ）のＩ−Ｉ断面図である。
【図４】ココヤシの果実（ココナッツ）の断面構造を示す斜視図である。
【図５】従来の人工芝グラウンド２００の模式断面図である。
【発明を実施するための形態】
【００２２】
（人工芝・天然芝複合グラウンド）
図１を参照して、本発明の一実施形態による人工芝・天然芝複合グラウンド１００を説明する。人工芝・天然芝複合グラウンド１００は、基盤１０と、この基盤１０上に設置された板状排水構造体２０と、この板状排水構造体２０上に設置された、基布３２に複数のパイル３４が植設されてなる人工芝３０と、基布３２上で複数のパイル３４間に粒状物が充填されてなる充填層３６と、この充填層３６内に根４２が張り、充填層３６の表面から芝葉４４が延びた天然芝４０と、を有する。
【００２３】
基盤１０は、砕石及び固結剤から構成することができ、例えば、砕石を固着剤によって網目状に連結して固結一体化し、その後表面を平坦化することによって形成することができる。より好適には、砕石として大径砕石体とこれよりも小径の小径砕石体とを用いて、大径砕石体を敷き詰めた上から、小径砕石体を敷き詰め、弾性を有する固結剤によって小径砕石体同士を網目状に連結して固結一体化する。これにより、基盤１０の表面をより平坦にできる。固結剤としては、合成樹脂含有水系バインダーまたは合成樹脂含有溶剤系バインダーを好適に用いることができ、後者として例えば、ウレタン樹脂に溶剤を含有させたウレタンバインダーを用いることができる。基盤１０は、上記のように砕石からなるものに限定されず、表面を平坦面に形成できるものであればよく、例えば、アスファルトコンクリートや透水コンクリートの打設によって形成してもよく、他の方法によって形成してもよい。
【００２４】
板状排水構造体２０は、合成樹脂製の素線がランダムなループ状に延在した立体網状体であり、一例として図３（Ａ），（Ｂ）に示す構造体を上げることができるが、詳細は後述する。
【００２５】
人工芝３０は、基布３２に複数のパイル３４が植設されてなる。基布３２の裏面には、スチレン・ブタジエンゴム（ＳＢＲ）等の、パイル３４を基布３２に固定するためのバッキング材（図示せず）が設けられている。パイル３４としては、任意の、または公知の人工芝用パイルを用いることができ、例えば、モノフィラメントパイル、フィルムヤーンパイル、及びスプリットヤーンパイルから選択される一種または二種以上の組み合わせとすることができる。パイル３４の素材は特に限定されず、ポリエチレン、ポリプロピレン等のオレフイン系合成樹脂やポリアミド、ポリ塩化ビニリデン、ポリエステル等の各種合成樹脂を好適に用いることができる。パイル３４の植設密度も特に限定されず、従来と同様に適宜設定すればよい。
【００２６】
充填層３６を構成する粒状物は、ヤシ科植物の果実の中果皮の粉末と、第一の砂とを含む。本実施形態では、充填層３６が、ヤシ科植物の果実の中果皮を粉砕して得た粉末を含むことが肝要である。これにより、充填層３６に粘りができるため、投擲槍が倒れずに刺さった状態が維持されやすくなる。また、当該粉末は、高いクッション性（弾性ではなく、衝撃吸収性）を有するため、ハンマー、円盤、砲丸等の投擲物が飛び跳ねにくく、投擲物の落下痕跡（天然芝４０及び充填層３６の凹み）が明瞭に識別でき、また、投擲競技以外の競技に用いる際の競技性にも優れる。さらに、当該粉末は高い保湿性を有するため、本実施形態のグラウンド１００は夏場に高温化しにくい。
【００２７】
上記粉末の一実施形態として、ココヤシの果実の中果皮を粉砕して得た粉末を挙げることができる。図４を参照して、ココヤシの果実は、外果皮という硬い殻に覆われている。外果皮の内側には、比較的軟質な中果皮が、そのさらに内側には内果皮がある。内果皮の内側には固体の胚乳の層があり、中心近くの空間には液体の胚乳が入っている。本実施形態では、中果皮のみを採取し、粉砕して得た粉末を用いる。
【００２８】
当該粉末の製造方法の一例を説明する。まず、ココヤシの果実を一定期間水に浸しておき、塩分やカリウムなどを取り除く。その後、ココヤシの果実から中果皮を採取する。採取した中果皮を粉砕機にかけて、粉末状にする。その後、得られた粉末を所定の目開きのふるいにかけて、粉末から繊維状の中果皮を除去する。このようにして、本実施形態で用いる粉末を製造することができる。なお、粉末中の水分含有量を調整するためには、採取した中果皮、あるいは、粉砕した後の粉末状の中果皮に対して、適宜の条件で乾燥処理を行えばよい。
【００２９】
上記粉末の最大粒径は、６．０ｍｍ以下とすることが好ましく、２．０ｍｍ以下とすることがより好ましい。人工芝のパイル間に充填される粒状物は一般的に粒径６．０ｍｍ以下に抑えられているためである。粉末にかけるふるいの目開きは、０ｍｍ〜９．５ｍｍの範囲内とすることが好ましい。このようにすることで、粉末の平均粒径D50を１．０ｍｍ以下とすることができる。
【００３０】
上記粉末の水分含有量は、１５〜５０質量％であることが好ましい。１５質量％以上とすれば、高温化を十分に抑制でき、また、粘結性の低下を防いで、投擲槍が倒れずに刺さりやすくなるという効果をより確実に得ることができ、しかも天然芝の育成に好適な環境となる。５０質量％以下とすれば、粘結性の低下を防いで、投擲槍が倒れずに刺さりやすくなるという効果をより確実に得ることができ、しかも、天然芝の根ぐされといった生育上の懸念もない。
【００３１】
なお、上記粉末はココヤシの果実の中果皮を粉砕した粉末に限定されず、ナツメヤシ、アブラヤシ、サゴヤシなどのヤシ科植物の果実の中果皮を粉砕した粉末でも、同様の効果を得ることができる。
【００３２】
第一の砂としては、少なくとも硅砂を用いることが好ましく、硅砂のみを単体で用いることがより好ましい。硅砂は固結しにくいので、ココヤシの果実の中果皮を粉砕した粉末との組み合わせによって得られる高い衝撃吸収性を維持しやすい。そのため、投擲物が飛び跳ねにくく、落下痕跡が明瞭に識別できるという本発明の効果を得るのに好適である。また、排水性の維持、空隙による保水性の維持という観点からも好ましい。
【００３３】
第一の砂は、砂（すなわち粒径が1/16〜２ｍｍの砕屑物）であれば特に限定されず、硅砂以外にも、種々の岩石を原料とした砕石、川砂、山砂などを挙げることができる。ただし、川砂および山砂は、最終直後の段階では一般的に、シルト、粘土、および有機物（動植物の腐敗物等）を含有するので、これらは取り除き、地質学上の「砂」のみの状態とすることが好ましい。
【００３４】
第一の砂の粒度分布は特に限定されないが、粒度バラつきが少ないことが好ましく、１〜２ｍｍの範囲であることが好ましい。例えば、硅砂であればＪＩＳ標準砂の２号硅砂、３号硅砂、および４号硅砂の一種または二種以上の組み合わせで用いることが好ましい。
【００３５】
本発明の効果をより十分に得る観点から、充填層３６を構成する粒状物のうち、前記ヤシ科植物の果実の中果皮の粉末と前記第一の砂との合計を１００質量部として、前記粉末が５〜４０質量部含まれることが好ましく、２０〜３０質量部含まれることがより好ましい。
【００３６】
充填層３６には、天然芝４０を育成するための肥料が含まれることが好ましい。当該肥料は、充填層３６中に均一に分散して存在してもよいし、前記粉末と第一の砂との混合粒状物によって、主たる充填層が形成された後に肥料が散布されるなどして、充填層３６の上層に局所的に存在していてもよい。肥料の種類は、天然芝を育成するための任意の、または公知の肥料を用いればよい。肥料の添加量は、天然芝の育成が適切に行われるように適宜調整すればよく、特に限定されない。
【００３７】
充填層３６には、天然または合成ゴムチップ、発泡または非発泡の合成樹脂粒状物、コルクチップ、タイヤの粉砕物等の弾性粒状物は含まないことが好ましい。これにより、充填層３６に弾性が付与されず、その結果、ハンマー、円盤、砲丸等の投擲物が飛び跳ねにくく、投擲物の落下痕跡が明瞭に識別できるという効果がより十分に得られる。また、充填層３６にはシルト、粘土、および有機物（動植物の腐敗物等）は含まないことが好ましい。これらを含む場合、充填層３６が時間の経過とともに固まりやすくなり、投擲物が飛び跳ねやすく、また、投擲物の落下痕跡が識別しにくくなる可能性があるからである。
【００３８】
充填層３６の厚さは特に限定されないが、本発明の効果をより十分に得る観点から５０ｍｍ以上とすることが好ましい。また、充填層３６の厚さの上限は特に限定されないが、一般的な人工芝のパイル長さを考慮すると８０ｍｍ程度である。また、パイル３４の高さは、充填層３６の表面からパイルが１０〜３０ｍｍ程度突出する高さとすることが好ましい。
【００３９】
天然芝４０は、充填層３６の形成後に、充填層３６に種子を散布もしくは充填し、または、充填層３６に苗を植えて育成したものであり、その根４２が充填層３６内に十分に張られており、芝葉４４は充填層３６の表面から延びている。本実施形態では、充填層３６にヤシ科植物の果実の中果皮を粉砕して得た粉末を含むため、充填層３６で天然芝が育成しやすい環境が整っている。そのため、充填層３６内には天然芝の根４４が十分に張り巡らされており、本実施形態ではこの点が肝要である。これにより、充填層３６にさらなる粘りや衝撃吸収性が付与され、その結果、投擲槍が倒れずに刺さった状態が維持されやすくなり、ハンマー、円盤、砲丸等の投擲物が飛び跳ねにくく、投擲物の落下痕跡（天然芝４０及び充填層３６の凹み）が明瞭に識別でき、また、投擲競技以外の競技に用いる際にも、スパイクの踏ん張りが利くようになり、競技性に優れる。
【００４０】
天然芝４０の種類は特に限定されず、夏芝としてはティフトン等のバミューダグラス類、ノシバ、コウライシバ等が挙げられ、冬芝としてはベントグラス類、ライグラス類、ケンタッキー等のブルーグラス類、フェスク類等が挙げられ、これらから選択される一種または二種以上の組み合わせとすることができる。
【００４１】
天然芝の芝葉４４の高さは特に限定されないが、人工芝を隠しやすく、天然芝の風合いや柔らかさを得る観点からは２５ｍｍ以上とすることが好ましいく、ボールに適度な弾みを付与し、かつ転がりを遮らないという観点からは４０ｍｍ以下とすることが好ましい。
【００４２】
本実施形態では、基盤１０と人工芝３０との間に、合成樹脂製の素線がランダムなループ状に延在した立体網状体である板状排水構造体２０を有し、この板状排水構造体２０の素線間の空隙に第二の砂２９が充填されている。このようにすることで、グラウンド１００の水はけがよくなり、すなわち透水性が高まる。特許文献１のように人工芝生を二層設ける場合、水はけを阻害する基布が二層存在することから、透水性が十分ではない。本実施形態では、基布が一層であり、かつ、板状排水構造体２０及び第二の砂２９を設けることによって、高い透水性が実現できる。また、板状排水構造体２０及び第二の砂２９は、投擲槍が人工芝の基布３２を貫通した後、槍を止める機能を果たす。これにより、槍の先端が基盤１０に到達して、先端を損傷することを防ぐことができる。
【００４３】
図３に、板状排水構造体２０の一例を示す。この板状排水構造体２０は、ポリプロピレン等の硬質合成樹脂製の多数本のモノフィラメント２２Ａ，２２Ｂをランダムなループ状に堆積して形成される縦長平板状の構造体である。この板状排水構造体２０は、厚み部２４と、その上下を被覆する被覆層部２８Ａ，２８Ｂとからなる。
【００４４】
厚み部２４は、太径モノフィラメント２２Ａがらせん状に延在して形成されている。複数列のらせん状太径モノフィラメント２２Ａが、その中心軸が互いに平行になるように隣接して配列され、その結果、円筒状空洞部２６が複数列にわたって区画されている。
【００４５】
被覆層部２８Ａ，２８Ｂは、細径モノフィラメント２２Ｂがループ状のまま潰れた状態で堆積して形成される。そのため、この板状排水構造体２０の表層部を構成する被覆層部２８Ａ，２８Ｂでは、隙間が均一に分布しており、槍の先端が通過することができる。
【００４６】
この板状排水構造体２０は、被覆層部２８Ａ，２８Ｂの隙間（線条網状）で集水する機能と、厚み部２４の円筒状空洞部２６で通水する機能を併せ持ち、しかも、高い耐圧強度を備える。この板状排水構造体２０に関しては、特開２００２−２７５８７６号公報にその詳細が記載されている。
【００４７】
第二の砂に関しては、第一の砂に関する記載を援用する。
【００４８】
（人工芝・天然芝複合グラウンドの施工方法）
図２（Ａ）〜（Ｅ）を参照して、本発明の一実施形態による人工芝・天然芝複合グラウンド１００の施工方法を説明する。
【００４９】
まず、図２（Ａ）に示すように、砕石を固着剤によって網目状に連結して固結一体化し、その後表面を平坦化することによって基盤１０を形成し、その後、板状排水構造体２０を基盤１０上に設置する。
【００５０】
次に、図２（Ｂ）に示すように、板状排水構造体２０の素線間の空隙に第二の砂２９を充填する。例えば、板状排水構造体２０上に第二の砂２９を散布し、これをブラシやサンドスプレッダー等の器具や人手によって空隙内に押し込める作業を行う。
【００５１】
次に、図２（Ｃ）に示すように、基布３２に複数のパイル３４が植設されてなる人工芝３０を板状排水構造体２０上に設置する。
【００５２】
次に、図２（Ｄ）に示すように、基布３２上で複数のパイル３４間に粒状物を充填して、充填層３６を形成する。具体的には、前記ココヤシの果実の中果皮を粉砕して得た粉末と前記第一の砂とを予め混合して混合粒状物とし、この混合粒状物を複数のパイル３４間に充填する。この場合、混合粒状物中には、天然芝を育成するための肥料をさらに混合してもよい。充填方法は、例えば、人工芝３０にこの混合粒状物を散布し、これをブラシやサンドスプレッダー等の器具や人手によって複数のパイル３４間に押し込める作業を行う。
【００５３】
あるいは、人工芝３０に前記ココヤシの果実の中果皮を粉砕して得た粉末と前記第一の砂とをそれぞれ散布して、その後、これらをブラシやサンドスプレッダー等の器具や人手によって複数のパイル３４間に押し込める作業を行ってもよい。充填作業の過程で、前記粉末と前記第一の砂とが混合するためである。ただし、より均一な混合という観点からは、両者を予め混合してから人工芝３０に散布した方が良い。
【００５４】
その後、図２（Ｅ）に示すように、充填層３６に種子を散布もしくは充填し、または、充填層３６に苗を植えて、天然芝４０を育成し、充填層３６内に根４２が張り、充填層３６の表面から芝葉４４が延びた状態とする。具体的には、天然芝を育成するための肥料を散布すること、目砂を散布すること、適度な水やりをすること、芝葉の成長に合わせた刈込みを行うこと、等を適宜行い、十分な芝生の根４２を充填層３６内に広げるようにする。このようにして、本実施形態の人工芝・天然芝複合グラウンド１００を施工することができる。
【実施例】
【００５５】
（発明例１）
図２（Ａ）〜（Ｅ）で説明した手順に従って、本発明例１による人工芝・天然芝複合グラウンドを施工した。板状排水構造体としては、図３に示すような構造体（株式会社吉原化工製、もやいドレーン・標準タイプ、厚さ：２５ｍｍ）を用いた。第二の砂としては、硅砂を単体で用いた。人工芝としては、12000デシテックスで、厚さ130μｍおよび310μｍの混織のパイル（モノフィラメントパイル）を用いた。
【００５６】
ココヤシの果実の中果皮を粉砕して得た粉末（スリランカ産）を用意した。この粉末は、目開き９．５ｍｍのふるいにかけられたものであり、最大粒径は６．０ｍｍ、平均粒径D50は１．０ｍｍである。なお、この平均粒径D50は、目開きの異なる複数のふるいを用いて、その目開きを通過する粉末の割合を測定し、積算質量％のグラフを作成し、積算値50％の粒径として求めた。ふるいの目開きは、0.075ｍｍ、0.106ｍｍ、0.250ｍｍ、0.425ｍｍ、0.85ｍｍ、2.00ｍｍ、4.75ｍｍ、9.5ｍｍとした。この測定方法は、JIS A 1204「土の粒度試験方法」に従うものである。また、この粉末の水分含有量は、加熱減量法により測定したところ45.7質量％であった。
【００５７】
この粉末と硅砂とを混合質量比を３０：７０にて予め混合して混合粒状物とし、この混合粒状物を複数のパイル３４間に充填した。充填層の厚さは７０ｍｍ、パイルの高さは９０ｍｍとした。
【００５８】
その後、ティフトン（捲き芝）、バミューダ（播種）、ノシバ（播種）、ケンタッキー（播種）の４種類の天然芝を充填層上で育成した。種まき後、目砂を散布し、適度な水やり、適時の肥料撒き、芝葉の成長に合わせた刈込みを行った。その結果、いずれの天然芝も充填層上で十分に育成し、その根は充填層中に十分に張り巡らされた。
【００５９】
（発明例２）
ココヤシの果実の中果皮を粉砕して得た粉末と硅砂の混合質量比を２０：８０に変更した以外は、発明例１と同様の手順で本発明例３による人工芝・天然芝複合グラウンドを施工した。４種類のいずれの天然芝も充填層上で十分に育成し、その根は充填層中に十分に張り巡らされた。
【００６０】
（発明例３）
発明例２の４種の天然芝の上に、ＷＯＳ（Winter Over Seeding）を行い、ペレニアルライグラスを育成させた。１回目の種まき及び目土の散布の１０日後に、２回目の種まき及び目土の散布を行い、その７日後に３回目の種まき及び目土の散布を行い、２５日目には約４０ｍｍの芝に成長した。
【００６１】
（比較例）
図５に示すような、比較例による人工芝敷設構造を施工した。図５中の基盤１０は、発明例１と同様の手順で形成した。図５中の第一の人工芝８０は、基布８２に複数のパイル８４が植設されてなり、パイル間に硅砂が充填され、充填層８６が形成されている。第一の人工芝のパイル８４としては、8000デシテックスで、厚さ180μｍのパイル（モノフィラメントパイル）を用いた。パイル高さ及び充填層厚さは、ともに２５ｍｍとした。
【００６２】
図５中の第二の人工芝９０は、基布９２に複数のパイル９４が植設されてなり、パイル間に硅砂とゴムチップの混合粒状物が充填され、充填層９６が形成されている。第二の人工芝のパイル９４としては、12000デシテックスで、厚さ130μｍおよび310μｍの混織のパイル（モノフィラメントパイル）を用いた。パイル高さは９０ｍｍとした。充填層９６中、硅砂とゴムチップの混合質量比は６：４とし、その厚さは７０ｍｍとした。
【００６３】
（評価結果）
発明例１〜３の人工芝・天然芝複合グラウンド及び比較例の人工芝敷設構造の上に、投擲槍を投げて挿入し、また、ハンマー及び円盤を落下させる試験を行った。発明例１，２では４種の天然芝いずれにおいても、槍が倒れずに角度３０度程度に刺さった状態が維持され、ハンマー及び円盤の落下痕跡が明瞭に識別できた。発明例３の天然芝上でも同様であった。これに対し、比較例１の人工芝敷設構造では、角度３０度程度で刺さったものの、その後倒れてしまった。また、ハンマー及び円盤が発明例１〜３よりも大きく弾み、その落下痕跡は明瞭に識別できなかった。
【産業上の利用可能性】
【００６４】
本発明の人工芝・天然芝複合グラウンドは、例えば陸上競技場のトラックの内側部分、学校の校庭、運動場等に設置して、サッカー、ラグビー等の各種球技や、槍投げ、ハンマー投げ、円盤投げ、砲丸投げ等の各種投擲競技に好適に用いることができる。
【符号の説明】
【００６５】
１００  人工芝・天然芝複合グラウンド
１０  基盤
２０  板状排水構造体
２２Ａ  太径モノフィラメント
２２Ｂ  細径モノフィラメント
２４  厚み部
２６  円筒状空洞部
２８Ａ，２８Ｂ  被覆層部
２９  第二の砂
３０  人工芝
３２  基布
３４  パイル（人工芝葉）
３６  充填層
４０  天然芝
４２  根
４４  芝葉
【図１】
2017166151.tif 000003
【図２】
2017166151.tif 000004
【図３】
2017166151.tif 000005
【図４】
2017166151.tif 000006
【図５】
2017166151.tif 000007
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
基盤と、
該基盤上に設置された、基布に複数のパイルが植設されてなる人工芝と、
前記基布上で前記複数のパイル間に粒状物が充填されてなる充填層と、
該充填層内に根が張り、前記充填層の表面から芝葉が延びた天然芝と、
を有し、
前記粒状物は、ヤシ科植物の果実の中果皮のみを採取し、粉砕して得た粉末と、第一の砂とを含むことを特徴とする人工芝・天然芝複合グラウンド。
【請求項２】
前記充填層には、前記天然芝を育成するための肥料が含まれる、請求項１に記載の人工芝・天然芝複合グラウンド。
【請求項３】
前記粒状物中、前記粉末と前記第一の砂との合計を１００質量部として、前記粉末が５〜４０質量部含まれる、請求項１または２に記載の人工芝・天然芝複合グラウンド。
【請求項４】
前記第一の砂が硅砂を含む、請求項１〜３のいずれか一項に記載の人工芝・天然芝複合グラウンド。
【請求項５】
前記基盤と前記人工芝との間に、合成樹脂製の素線がランダムなループ状に延在した立体網状体である板状排水構造体を有し、
前記板状排水構造体の前記素線間の空隙に第二の砂が充填されている、請求項１〜４のいずれか一項に記載の人工芝・天然芝複合グラウンド。
【請求項６】
前記第二の砂が硅砂を含む、請求項５に記載の人工芝・天然芝複合グラウンド。
【請求項７】
基布に複数のパイルが植設されてなる人工芝を基盤上に設置する第一工程と、
前記基布上で前記複数のパイル間に粒状物を充填して、充填層を形成する第二工程と、
前記充填層に種子を散布もしくは充填し、または、前記充填層に苗を植えて、天然芝を育成し、前記充填層内に根が張り、前記充填層の表面から芝葉が延びた状態とする第三工程と、
を有し、
前記粒状物は、ヤシ科植物の果実の中果皮のみを採取し、粉砕して得た粉末と、第一の砂とを含むことを特徴とする人工芝・天然芝複合グラウンドの施工方法。
【請求項８】
前記第一工程に先立ち、合成樹脂製の素線がランダムなループ状に延在した立体網状体である板状排水構造体を前記基盤上に設置し、
前記板状排水構造体の前記素線間の空隙に第二の砂を充填する、請求項７に記載の人工芝・天然芝複合グラウンドの施工方法。
【請求項９】
前記第二工程では、前記粉末と前記第一の砂とを予め混合して混合粒状物とし、該混合粒状物を前記複数のパイル間に充填する、請求項８に記載の人工芝・天然芝複合グラウンドの施工方法。
【請求項１０】
前記混合粒状物中には、前記天然芝を育成するための肥料をさらに混合する、請求項９に記載の人工芝・天然芝複合グラウンドの施工方法。
【請求項１１】
前記充填層上に、前記天然芝を育成するための肥料を散布する工程をさらに有する、請求項８〜１０のいずれか一項に記載の人工芝・天然芝複合グラウンドの施工方法。